(57)【要約】      （修正有）【課題】収納する物品の収納、取り出しが容易で、立体的な衣服形状であり、不要時は扁平に折り畳み、使用時には容易に組み立てられるシャツ型組立包装体を提供する。【解決手段】正面板２、背面板、左側面板３及び右側面板を折って角筒状に形成し、これらの下端から折り目を介して突設した底板形成片を相互に係止して底板を設け、左側面板及び右側面板を夫々上下に分ける扁平Ｖ字型切込みを設け、扁平Ｖ字型切込みの下部を折り目により内側にへこませ、上部の中央部の折り目を介して上部を外側に突出させて、正面板及び背面板の各上部を接近させてその上端を当接させ、正面板の上端より上方に突出した背面板上方の台形板の両側斜辺から背面板の上端に沿って突出させた各折り曲げ係止片１３を正面板の上に折り曲げ、各折り曲げ係止片の舌片を正面板の上部にハの字に設けた係止切り込み１０に挿入係止させた。【選択図】図１
0003227492.tif 000002
【実用新案登録請求の範囲】
【請求項１】
正面板、背面板、左側面板および右側面板を折り目を介して角筒状に形成し、これらの各下端から折り目を介して突設した底板形成片を相互に係止して底板を設け、前記左側面板及び右側面板を夫々上下に分ける扁平Ｖ字型切込みを設け、当該扁平Ｖ字型切込みの下部を折り目により内側にへこませ、上部の中央部の折り目を介して当該上部を外側に突出させて、正面板及び背面板の各上部を接近させてその上端を当接させ、前記正面板の上端より上方に突出した背面板上方の台形板の両側斜辺から背面板の上端に沿って突出させた各折り曲げ係止片を正面板の上に折り曲げ、各折り曲げ係止片の舌片を正面板の上部にハの字に設けた係止切り込みに挿入係止させたことを特徴とする、シャツ型込組立包装体。
【請求項２】
前記左側面板および右側面板の扁平Ｖ字型切り込みの上部の中央部の折り目の上端に直線切り込みを設け、当該直線切り込みの両側に、斜めの折り目により折り曲げ当接片を設け、また、正面板の上端には折り目を介して正面折込片を、背面板に続く台形板の上端から折り目を介して背面折込片を設け、前記折り曲げ当接片相互を当接させ、また、前記正面折込片及び背面折込片相互を当接させていることを特徴とする、請求項１に記載のシャツ型組立包装体。
【請求項３】
前記左側面板および右側面板の下端から折り目を解して三角へこみ部を設け、前記扁平Ｖ字型切り込みの中央部と前記三角へこみ部の頂部とを結ぶ折り目を設け、また、前記左側面板及び右側面板の上端中央部から下端に向けて直線切り込み及び当該直線切り込みの下端から前記扁平Ｖ字型切り込みの中央部まで折り目を設けたことを特徴とする、請求項１又は２に記載のシャツ型組立包装体。
【請求項４】
前記正面板のハの字型に設けた係止切り込みは、横長のＵ字型を成していることを特徴とする、請求項１〜３のいずれかに記載のシャツ型組立包装体。
【考案の詳細な説明】
【技術分野】
【０００１】
この考案は、シャツの形状をした組立包装体で、扁平に折り畳んでおき、物品を収納する際は、半箱型に組み立て、内部に物品を収納した後、上部を折り込んで蓋部分を閉じて陳列、携帯できる組立包装体に関するものである。
【背景技術】
【０００２】
従来、多数のクッキー等の菓子や小物又は飲料を入れる略袋型の包装体は、販売促進のため包装体の上に印刷等で模様を施して装飾性を付加している。これらのものは従来の袋形状であり、他の包装体との差別化が出来ているとは言えない。販売促進を目的とした陳列兼携帯用の斬新な形状の包装体が求められている。
【０００３】
そこで、例えば、特許文献１のものは、正面方形の袋本体の口縁部が上端から下方に所定幅をおいて横方向に設けられた折り曲げ線を介して後方に折り返されると共に、同袋本体の両肩部が袋本体の上側から左右両側にかけて設けられた斜状の折り曲げ線を介して前方に折り返されて前記口縁部の両側部が袋本体の前面において互いに近接した状態に配置せしめられ、かつ、この口縁部の両側部を前記近接状態で保持する結び紐等の形状保持部材が具備せられてなる包装用袋である。
【０００４】
また、特許文献２のものは、ペットボトル等の飲料用容器を包んで携帯を容易にし、保冷容器として機能し、前開きの前身ごろ及び袖を有する衣服形状の外観を呈した飲用容器の包装体である。
【先行技術文献】
【特許文献】
【０００５】
【特許文献１】実開昭５８−８８３４０号公報
【特許文献１】特開２００８−２６０５７１号公報
【考案の開示】
【考案が解決しようとする課題】
【０００６】
上記特許文献１及び２とも包装体の形状を衣服に模したもので、陳列用兼携帯用の包装体であるが、上記特許文献１は、衣服形状に模しているが、従来の袋形状の域をでず、顧客の目を引き付ける力が弱い。また、商品の取り出しには、形状保持部材を取り外し、袋の開口部の折り畳みを解いて開口部を広げなければならず、手間のかかる欠点がある。
【０００７】
また、特許文献２のものは、衣服形状に模しているが、収納する商品の形状や大きさが限定され、包装体の大きさにマッチしたものでなければならず、汎用性がない。また、収納した商品を取り出すには、合わせている前身ごろの係止を解いて開かなければならず、手間のかかるものである。
【０００８】
この考案は、上記の点に着目し、収納する物品の収納、取り出しが容易で、立体的な衣服形状の包装体であり、不要時は扁平に折り畳んでおくことができ、使用に際しては、容易に組み立てられる、シャツ型の組立包装体を提供することを目的としたものである。
【課題を解決するための手段】
【０００９】
請求項１の考案は、正面板、背面板、左側面板および右側面板を折り目を介して角筒状に形成し、これらの各下端から折り目を介して突設した底板形成片を相互に係止して底板を設け、前記左側面板及び右側面板を夫々上下に分ける扁平Ｖ字型切込みを設け、当該扁平Ｖ字型切込みの下部を折り目により内側にへこませ、上部の中央部の折り目を介して当該上部を外側に突出させて、正面板及び背面板の各上部を接近させてその上端を当接させ、前記正面板の上端より上方に突出した背面板上方の台形板の両側斜辺から背面板の上端に沿って突出させた各折り曲げ係止片を正面板の上に折り曲げ、各折り曲げ係止片の舌片を正面板の上部にハの字に設けた係止切り込みに挿入係止させた、シャツ型込組立包装体とした。
【００１０】
また、請求項２の考案は、前記左側面板および右側面板の扁平Ｖ字型切り込みの上部の中央部の折り目の上端に直線切り込みを設け、当該直線切り込みの両側に、斜めの折り目により折り曲げ当接片を設け、また、正面板の上端には折り目を介して正面折込片を、背面板に続く台形板の上端から折り目を介して背面折込片を設け、前記折り曲げ当接片相互を当接させ、また、前記正面折込片及び背面折込片相互を当接させたている、請求項１に記載のシャツ型組立包装体とした。
【００１１】
また、請求項３の考案は、前記左側面板および右側面板の下端から折り目を解して三角へこみ部を設け、前記扁平Ｖ字型切り込みの中央部と前記三角へこみ部の頂部とを結ぶ折り目を設け、また、前記左側面板及び右側面板の上端中央部から下端に向けて直線切り込み及び当該直線切り込みの下端から前記扁平Ｖ字型切り込みの中央部まで折り目を設けた、請求項１又は２に記載のシャツ型組立包装体とした。
【００１２】
また、請求項４の考案は、前記正面板のハの字型に設けた係止切り込みは、横長のＵ字型を成している、請求項１〜３のいずれかに記載のシャツ型組立包装体とした。
【考案の効果】
【００１３】
請求項１の考案によれば、左側面板と右側面板の略中央部で横方向の扁平Ｖ字型切り込みを入れて上下に分け、上部を外側に突出させ、下部を内側にへこませ、かつ、背面板に続く台形板の両側から突出する折り曲げ係止片を正面板の上に折り曲げてこれを係止したことにより、シャツの襟や袖が形成された立体形状の包装体であるため、店頭等での陳列では顧客の目を引き宣伝効果を果たすものである。また、商品を収納、取り出しの際は、上部の前記折り曲げ係止片の係止を外せば、開口部から容易に出し入れできる。また、組立式のため、不要時には扁平に折り畳むことができ、場所をとらない。
【００１４】
また、請求項２の考案によれば、包装体の上端で正面板の正面折込片と背面板の背面折込片とを突合せ、また、左側面板及び右側面板の夫々の折り曲げ当接片を相互に突き合わせているため、前記折り曲げ係止片の係止を外せば、突合せの反発力で開口部が拡がり、包装体の上部の開口部から商品を挿入又は取り出し易い。
【００１５】
また、請求項３の考案によれば、左側面板および右側面板の下部に折り目を設けているため下部がへこみ易く、上部は中央に直線切り込み及びこれに続く折り目を設けているため、外側に突出し易い。それ故、立体的な組立が容易である。
【００１６】
また、請求項４の考案によれば、正面板の二つの係止切り込みが夫々横長のＵ字型となっているため、折り曲げ係止片の舌片が挿入し易い。
【図面の簡単な説明】
【００１７】
【図１】この考案の実施の形態例１のシャツ型組立包装体の斜視図である。
【図２】この考案の実施の形態例１のシャツ型組立包装体の台紙の展開図である。
【図３】この考案の実施の形態例１のシャツ型組立包装体の組み立て工程１の斜視図である。
【図４】この考案の実施の形態例１のシャツ型組立包装体の組み立て工程２の斜視図である。
【図５】この考案の実施の形態例１のシャツ型組立包装体の組み立て工程２における底面図である。
【図６】この考案の実施の形態例１のシャツ型組立包装体の組み立て工程３の斜視図である。
【図７】この考案の実施の形態例１のシャツ型組立包装体の中央縦断面図である。
【図８】この考案の実施の形態例１のシャツ型組立包装体の前面に模様を付した斜視図である。
【考案を実施するための形態】
【００１８】
（実施の形態例１）
この考案の実施の形態例１のシャツ型組立包装体Ａを図１〜図７に基づいて説明する。
【００１９】
まず、このシャツ型組立包装体Ａの展開台紙１を図２に基づいて説明する。
展開台紙１は、略正方形の正面板２の左側に折り目ａを介して縦長の長方形の左側面板３、さらにその左側に折り目ｂを介して前記正面板２と同形の背面板４を設けている。また、前記正面板２の右側に、折り目ｃを介して前記左側面板３と同形の右側面板５を設け、当該右側面板５の右側に折り目ｄを解して糊代片６を設けている。
【００２０】
前記正面板２の上端には折り目ｅを介して正面折込片７を設け、下端には折り目ｆを介して底板形成片８を設けている。当該底板形成片８は下端中央部に略四辺形の切り欠き９が設けられている。また、正面板２の上部中央部には扁平ハの字型に係止切り込み１０が設けられており、これらの各係止切り込み１０は横長のＵ字型形状をなし、上端に折り目ｇを設けている。
【００２１】
また、前記背面板４の上端には、背面板４に続き台形板１１が設けられ、その上端に折り目ｈを介して正方形の背面折込片１２が設けられ、また、前記台形板１１の両側の斜辺に折り目ｉを介して折り曲げ係止片１３が前記背面板４の上端に沿って設けられている。これらの折り曲げ係止片１２の外端下部に舌片１４が夫々突設されている。
【００２２】
また、前記背面板４の下端には折り目ｊを介して底板形成片１５が設けられている。この底板形成片１５は略逆台形形状を成し、中央先端が差し込み片１５ａとなっている。
【００２３】
また、前記左側面板３の下端には三角形状の折り目ｋを介して三角へこみ部１６が設けられ、当該三角へこみ部１６の上方であって、左側面板３の略中央には左右の一端から他端まで扁平Ｖ字型切り込み１７が形成されている。また、この左側面板３の上端中央部には逆三角形状の切り欠き１８が設けられ、当該きり欠き１８の中央から左側面板３の下端に向けて直線状の直線切り込み１９が設けられている。
【００２４】
この直線切り込み１９の下端と左側面板３の上端両側角部を結ぶ折り目ｍにより左右の折り曲げ当接片２０、２０が設けられている。これらの折り曲げ当接片２０、２０の一方の折り曲げ当接片２０の上端に突片２０ａが形成されている。また、前記直線切り込み１９の下端から前記扁平Ｖ字型切り込み１７の中央部まで折り目ｎが設けられ、また、当該扁平Ｖ字型切り込み１７の中央部から前記三角へこみ部１６の頂部まで折り目ｏが設けられている。
【００２５】
また、前記左側面板３の下端の折り目ｐを介して底板形成片２１が設けられている。この底板形成片２１は略直角三角形状で、下部から右方に半円形突片２１ａを設けている。また、前記右側面板５は、前記左側面板３と同形で、左右対称に形成されている。
【００２６】
以上の展開台紙１からシャツ型組立包装体Ａを組み立てるには、まず、折り目ｂ、ａ、ｃ、ｄを順に谷折りして、前記糊代片６を背面板４の左側縁に接着剤により貼り付ける。これにより図３に示すように、正面板２、左側面板３、背面板４及び右側面板５（図示省略）は角筒を形成する。
【００２７】
そして、前記底板形成片８を折り目ｆを介して正面板２の内側に略９０度折り、左側面板３及び右側面板５の各底板形成片２１を夫々内側に略９０度折り、各半円形突片２１ａを前記底板形成片８の切り欠き９に係止する。この状態で背面板４の底板形成片１５を内側に略９０度折り、その差し込み片１５ａを前記切り欠き９に入れる。これにより底板が形成される。
【００２８】
その後、左側面板３及び右側面板５の各折り目ｋ及びｏを介して三角へこみ部１６を内側にへこませ、左側面板３及び右側面板５の上部を折り目ｎにより外側に突出させる。その際、折り目ｍにより折り曲げ当接片２０を夫々山折りして相互に当接させる。
【００２９】
これと同時に、図６に示すように、正面板２の上端の折り目ｅにより正面折込片７を内側に折り込み、また背面板４の上方の台形板１１の上端の折り目ｈにより背面折込片１２を内側に折り込み、これにより正面折込片７と背面折込片１２とが突き合わせられる。さらに、前記台形板１１の左右の折り曲げ係止片１３を折り曲げて各舌片１４を、図１に示すように、正面板２の扁平ハ字型に形成された係止切り込み１０に差し込む。
【００３０】
これにより、図１に示すように、左右側面板３、５は扁平Ｖ字型切り込み１７を挟んで上部は突出し、下部はへこみ、前記上部はシャツの袖のように形成される。また、上部中央の左右の折り曲げ係止片１３がシャツの襟を形成し、当該包装体は立体的なシャツ形状を成す。また、図７に示すように、内部に空間２２が形成され、菓子等の商品Ｓを収納できる。
【００３１】
また、前記商品Ｓを取り出す場合は、前記折り曲げ係止片１３の舌片１４を夫々係止切り込み１０から外すと、相互に当接していた正面折込片７及び背面折込片１２及び折り曲げ当接片２０、２０の反発により、相互に離反し、開口する。従って、商品Ｓを中から取り出すことが容易である。
【００３２】
また、当該シャツ型組立包装体Ａは商品Ｓを収納しない状態では、図３に示すように、折り曲げ係止片１３の舌片１４を夫々係止切り込み１０から外し、正面折込片７及び背面折込片１２の折込を戻して扁平にし、また、各折り曲げ当接片２０を拡げ、さらに、底板形成片８、１５、２１の相互の係止を外して角筒状にし、その後、対角線上の折り目を解して扁平にすることができる。従って、当該シャツ型組立包装体Ａの不要時は扁平に重ねておくこともできる。
【００３３】
また、図８に示すように、正面板２の、前記両側の係止切り込み１０の中央を通る前身ごろ縁２３を上端から下端まで描き、当該直線の右脇に間隔をあけて複数のボタン２４を描き、さらに、花模様等を正面板２、背面板４、左側面板３及び右側面板５に描けば、アロハシャツ等、よりリアルにシャツを想起させることができ、より趣のある包装体となる。
【符号の説明】
【００３４】
Ａ        シャツ型組立法包装体      Ｓ        商品
１        展開台紙                  ２        正面板
３        左側面板                  ４        背面板
５        右側面板                  ６        糊代片
７        正面折込片                ８        底板形成片
９        切り欠き                  １０      係止切り込み
１１      台形板                    １２      背面折込片
１３      折り曲げ係止片              １４      舌片
１５      底板形成片                  １５ａ    差し込み片
１６      三角へこみ部                １７      扁平Ｖ字型切り込み
１８      切り欠き                    １９      直線切り込み
２０      折り曲げ当接片              ２０ａ    突片
２１      底板形成片                  ２１ａ    半円形突片
２２      空間                        ２３      前身ごろ縁
２４      ボタン
【図１】
0003227492.tif 000003
【図２】
0003227492.tif 000004
【図３】
0003227492.tif 000005
【図４】
0003227492.tif 000006
【図５】
0003227492.tif 000007
【図６】
0003227492.tif 000008
【図７】
0003227492.tif 000009
【図８】
0003227492.tif 000010